(57)【要約】【課題】水路を流れる水の量に依存せずに水車を効率的に回転させるための水車システムを提供すること。【解決手段】本発明は、水路１０に設置された水車システム２００、３００を提供し、本発明の水車システム２００、３００は、水路１０に設置された水車２０と、水車２０の上流側で水路１０に設置された堰き止め部材３０であって、堰き止め部材３０は、水路１０を流れる水の少なくとも一部を堰き止め、水路１０を流れる水の少なくとも一部を通過させるように構成されており、堰き止め部材３０は、堰き止め部材３０を通過した水が水車２０を回転させるように配置されており、堰き止め部材３０は、水路１０を流れる水の少なくとも一部を堰き止める面積が調整されることが可能なように構成されている。【選択図】図３Ａ
2018194002.tif 000002
【特許請求の範囲】
【請求項１】
水路に設置された水車システムであって、
前記水路に設置された水車と、
前記水車の上流側で前記水路に設置された堰き止め部材であって、前記堰き止め部材は、前記水路を流れる水の少なくとも一部を堰き止め、前記水路を流れる水の少なくとも一部を通過させるように構成されており、前記堰き止め部材は、前記堰き止め部材を通過した水が前記水車を回転させるように配置されており、前記堰き止め部材は、前記水路を流れる水の少なくとも一部を堰き止める面積が調整されることが可能なように構成されている、堰き止め部材と
を備える、水車システム。
【請求項２】
前記水路を流れる水の量を検出する検出手段と、
前記検出手段によって検出された水の量に応じて、前記水路を流れる水の少なくとも一部を堰き止める面積を調整する調整手段と
をさらに備える、請求項１に記載の水車システム。
【請求項３】
前記調整手段は、前記水路を流れる水の量が少なくなるにつれて前記水路を流れる水の少なくとも一部を堰き止める面積が大きくなるように、前記水路を流れる水の少なくとも一部を堰き止める面積を調整する、請求項２に記載の水車システム。
【請求項４】
前記調整手段は、前記堰き止め部材を通過する水の水位をほぼ一定に保つように、前記水路を流れる水の少なくとも一部を堰き止める面積を調整する、請求項２または請求項３に記載の水車システム。
【請求項５】
前記調整手段は、前記水路を流れる水の少なくとも一部を堰き止める面積を段階的に調整する、請求項２〜４のいずれか一項に記載の水車システム。
【請求項６】
前記調整手段は、前記水路を流れる水の少なくとも一部を堰き止める面積を無段階的に調整する、請求項２〜４のいずれか一項に記載の水車システム。
【請求項７】
前記堰き止め部材は、前記堰き止め部材に対してスライド可能な少なくとも１つのスライド部材を含み、
前記調整手段は、前記スライド部材をスライドさせる量を調整することにより、前記水路を流れる水の少なくとも一部を堰き止める面積を調整する、請求項２〜６のいずれか一項に記載の水車システム。
【請求項８】
前記検出手段は、前記水路を流れる水の水位を検出するように構成された水位計である、請求項２〜７に記載の水車システム。
【請求項９】
前記堰き止め部材は、前記堰き止め部材に対して取り外し可能な少なくとも１つの追加堰き止め部材を含む、請求項１に記載の水車システム。
【請求項１０】
前記堰き止め部材は、前記堰き止め部材に対してスライド可能な少なくとも１つのスライド部材を含む、請求項１に記載の水車システム。
【請求項１１】
前記堰き止め部材は、凹形の形状を有する、請求項１〜１０のいずれか一項に記載の水車システム。
【請求項１２】
前記水車の下流側で前記水路に設置された後部堰き止め部材をさらに備え、前記後部堰き止め部材は、前記後部堰き止め部材の下流側から逆流しようとする水の少なくとも一部を堰き止めるように構成されている、請求項１〜１１のいずれか一項に記載の水車システム。
【請求項１３】
前記後部堰き止め部材は、高さを調整することが可能なように構成されている、請求項１２に記載の水車システム。
【請求項１４】
前記堰き止め部材と前記後部堰き止め部材との間に設置された側面部材をさらに備え、前記水車は、前記堰き止め部材と、前記側面部材と、前記後部堰き止め部材とによって包囲されている、請求項１２または請求項１３に記載の水車システム。
【請求項１５】
前記水車は、前記水路の落差工に設置されている、請求項１〜１４のいずれか一項に記載の水車システム。
【請求項１６】
請求項１〜１５のいずれか一項に記載の水車システムを用いて発電機を作動させることにより電力を発生させることと、
発生した電力のうちの少なくとも一部を販売することと
を含む、方法。
【発明の詳細な説明】
【技術分野】
【０００１】
本発明は、水路に設置された水車システムに関し、具体的には、水路を流れる水の量に依存せずに水車を効率的に回転させるための水車システムに関する。
【背景技術】
【０００２】
水力発電装置は、水車に水流を衝突させて得られた回転力により発電機を作動させて発電する。特許文献１は、流量や流速が小さい河川、既設水路でも効率よく発電する水力発電装置を開示している。特許文献１は、流量や流速が小さい河川でも効率よく発電するために、水路フリュームに速度水頭を高めるための絞り部および必要最小限の落差円周隙間を設けることを開示している。
【先行技術文献】
【特許文献】
【０００３】
【特許文献１】特開２０１４−１３４１９９号
【発明の概要】
【発明が解決しようとする課題】
【０００４】
本発明は、水路を流れる水の量に依存せずに水車を効率的に回転させるための水車システムを提供することを目的とする。
【課題を解決するための手段】
【０００５】
本発明の水車システムは、水路に設置され、前記水車システムは、前記水路に設置された水車と、前記水車の上流側で前記水路に設置された堰き止め部材であって、前記堰き止め部材は、前記水路を流れる水の少なくとも一部を堰き止め、前記水路を流れる水の少なくとも一部を通過させるように構成されており、前記堰き止め部材は、前記堰き止め部材を通過した水が前記水車を回転させるように配置されており、前記堰き止め部材は、前記水路を流れる水の少なくとも一部を堰き止める面積が調整されることが可能なように構成されている、堰き止め部材とを備える
【０００６】
本発明の一実施形態において、前記調整手段は、前記水路を流れる水の量が少なくなるにつれて前記水路を流れる水の少なくとも一部を堰き止める面積が大きくなるように、前記水路を流れる水の少なくとも一部を堰き止める面積を調整する。
【０００７】
本発明の一実施形態において、前記調整手段は、前記堰き止め部材を通過する水の水位をほぼ一定に保つように、前記水路を流れる水の少なくとも一部を堰き止める面積を調整する。
【０００８】
本発明の一実施形態において、前記調整手段は、前記水路を流れる水の少なくとも一部を堰き止める面積を段階的に調整する。
【０００９】
本発明の一実施形態において、前記調整手段は、前記水路を流れる水の少なくとも一部を堰き止める面積を無段階的に調整する。
【００１０】
本発明の一実施形態において、前記堰き止め部材は、前記堰き止め部材に対してスライド可能な少なくとも１つのスライド部材を含み、前記調整手段は、前記スライド部材をスライドさせる量を調整することにより、前記水路を流れる水の少なくとも一部を堰き止める面積を調整する。
【００１１】
本発明の一実施形態において、前記検出手段は、前記水路を流れる水の水位を検出するように構成された水位計である。
【００１２】
本発明の一実施形態において、前記堰き止め部材は、前記堰き止め部材に対して取り外し可能な少なくとも１つの追加堰き止め部材を含む。
【００１３】
本発明の一実施形態において、前記堰き止め部材は、前記堰き止め部材に対してスライド可能な少なくとも１つのスライド部材を含む。
【００１４】
本発明の一実施形態において、前記堰き止め部材は、凹形の形状を有する。
【００１５】
本発明の一実施形態において、前記水車システムは、前記水車の下流側で前記水路に設置された後部堰き止め部材をさらに備え、前記後部堰き止め部材は、前記後部堰き止め部材の下流側から逆流しようとする水の少なくとも一部を堰き止めるように構成されている。
【００１６】
本発明の一実施形態において、前記後部堰き止め部材は、高さを調整することが可能なように構成されている。
【００１７】
本発明の一実施形態において、前記水車は、前記水路の落差工に設置されている。
【００１８】
本発明の一実施形態において、前記堰き止め部材と前記後部堰き止め部材との間に設置された側面部材をさらに備え、前記水車は、前記堰き止め部材と、前記側面部材と、前記後部堰き止め部材とによって包囲されている。
【００１９】
本発明は、本発明の水車システムを用いて発電機を作動させることにより電力を発生させることと、発生した電力のうちの少なくとも一部を販売することとを含む、方法も提供する。
【発明の効果】
【００２０】
本発明によれば、水路を流れる水の量に依存せずに水車を効率的に回転させるための水車システムを提供することができる。
【図面の簡単な説明】
【００２１】
【図１Ａ】水路１０に設置された水車２０の概略図である。
【図１Ｂ】堰き止め部材３０の上流位置での水路１０の断面図である。
【図１Ｃ】図１Ａの水路１０の横断方向中心線から得られた端面図である。
【図２Ａ】水路１０に設置された本発明の水車システム１００の概略図である。
【図２Ｂ】堰き止め部材３０の上流位置での水路１０の断面図である。
【図２Ｃ】図２ＢのＡ−Ａ’線から得られたＡ−Ａ’端面図である。
【図３Ａ】水路１０に設置された本発明の水車システム２００の概略図である。
【図３Ｂ】堰き止め部材３０の上流位置での水路１０の断面図である。
【図３Ｃ】図３ＢのＡ−Ａ’線から得られたＡ−Ａ’端面図である。
【図４】本発明の水車システム２００の構成の一例を示す図である。
【図５】本発明の水車システム２００による、水路１０を流れる水の量に依存せずに水車を効率的に回転させるための手順の一例を示すフローチャートである。
【図６】検出手段７０が堰き止め部材３０を通過する水の水位を検出することが可能である場合の、本発明の水車システム２００による、水路１０を流れる水の量に依存せずに水車を効率的に回転させるための手順の一例を示すフローチャートである。
【図７】水車システム１００において、水車２０の下流側に後部堰き止め部材９０を設置した場合の、横断方向中心線から得られた端面図である。
【図８】落差工を有する水路１０’の端面図である。
【図９】落差工を有する水路１０’の落差工に水車２０を設置し、水車２０の下流側に後部堰き止め部材９０を設置した場合の、横断方向中心線から得られた端面図である。
【発明を実施するための形態】
【００２２】
以下、図面を参照しながら、本発明の実施の形態を説明する。
【００２３】
１．水車を効率的に回転させるための水車システムの構成
図１Ａは、水車を効率的に回転させるための水車システム１００の構成を概略的に示す。
【００２４】
水車システム１００は、水路１０に設置される。水車システム１００は、水路１０に設置された水車２０と、水車１０の上流側に設置された堰き止め部材３０とを備える。
【００２５】
水路１０には、図１の矢印の方向に水が流れる。記載を簡単にするために、水路１０は、その一部のみが示され、水車２０は、単なる円柱として示されている。水路１０は、水が流れる方向に連続し得、水車２０は、複数の羽根を備え得る。
【００２６】
水路１０は、例えば、農業用水路であるが、水路１０の用途はこれに限定されない。水路１０は、水を流すことができる水路であれば足り、例えば工業用水路等の任意の用途に利用されることができる。
【００２７】
水車２０は、例えば、水力発電装置用水車であるが、水車２０の用途はこれに限定されない。水車２０は、水の流れのエネルギーを回転エネルギーに変換することができる水車であれば足り、例えば製粉等の任意の用途に利用されることができる。
【００２８】
水車２０は、どの位置に水を当てるかに依存して、水の流れのエネルギーを回転エネルギーに変換する効率が変化し得る。水車２０には、より良い効率で水の流れのエネルギーを回転エネルギーに変換するために水を当てるべき好適位置が存在する。例えば、水車の中心を通る水平面よりも高い位置から落下した水が水車に当たる場合、好適位置は、水車の中心を原点として水平面から上側に３０度〜６０度の位置であり、好ましくは、４５度の位置である。例えば、水平方向に流れる水が水車に当たる場合、好適位置は、水車の中心を原点として水平面から下側に３０度〜６０度の位置であり、好ましくは、４５度の位置である。なお、上記角度は好適位置の例示であり、条件に応じて、他の任意の角度の位置が好適位置となり得る。
【００２９】
水路１０に設置された水車２０の上流側には、堰き止め部材３０が設置されている。堰き止め部材３０は、水路１０を流れる水の少なくとも一部を堰き止め、水路１０を流れる水の少なくとも一部を通過させるように構成されている。堰き止め部材３０は、例えば、図１Ａに示されるような板状の部材であり得る。
【００３０】
図１Ｂは、堰き止め部材３０の上流位置での水路１０の断面図であり、図１Ｃは、図１Ａの水路１０の横断方向中心線から得られた端面図である。図１Ｂでは、水車２０は省略されている。
【００３１】
図１Ｂに示されるように、堰き止め部材３０は、凹形の形状を有し、水路１０を流れる水の少なくとも一部を通過させるための開口部３４が形成されている。堰き止め部材３０が凹形の形状を有することにより、例えば、堰き止め部材３０を通過する水の流速を速くすることができ、その結果、水車２０の回転が速くなる。これにより、水車２０が水力発電装置用水車である場合には、効率的な発電が可能になる。なお、堰き止め部材３０は、水路１０を流れる水の少なくとも一部を堰き止め、水路１０を流れる水の少なくとも一部を通過させるように構成されている限り、凹形以外の任意の形状（例えば、円形、楕円形、矩形、コ字形、Π字形等）を有し得る。
【００３２】
堰き止め部材３０の開口部３４の左右方向の幅は、任意の幅に形成され得るが、好ましくは、水車２０の幅と同幅に形成される。堰き止め部材３０の開口部３４の幅を水車２０の幅と同幅とすることにより、開口部３４を通過する水を無駄なく水車２０に当てることができ、効率的に水車２０を回転させることができる。水車２０が水力発電装置用水車である場合には、効率的な発電が可能になる。
【００３３】
堰き止め部材３０と水路１０との接合部は、例えば、ゴム等の封止材料によって封止される。これにより、堰き止め部材３０と水路１０との間から水が漏れることを防止する。
【００３４】
図１Ｃに示されるように、堰き止め部材の下流側には、例えば、鉄骨柱３６が固定され、水路１０にはスロープ３８が設置される。このとき、鉄骨柱３６とスロープ３８とは、鉄骨柱３６の側面とＬ型鉄板３７とを溶接し、Ｌ型鉄板３７とスロープ３８とを溶接することによって接続される。あるいは、鉄骨柱３６とスロープ３８とは、鉄骨柱３６の上面と平板鉄板とを溶接し、Ｌ型鉄板３７とスロープ３８とを溶接することによって接続されるようにしてもよい。なお、スロープ３８は、その断面が任意の形状（例えば、直線状、曲線状、階段状等）であり得るが、好ましくは、曲線状であり得る。スロープ３８は、断面形状が３次元的に変化する形状（例えば、曲面状）であってもよい。曲線状の断面形状は、例えば、円弧形状、楕円弧形状、放物線形状等であり得る。スロープ３８は、断面形状が円弧形状であることが好ましく、水車に沿った円弧形状であることがさらに好ましい。
【００３５】
堰き止め部材３０を通過しようとする水は、堰き止め部材３０によって堰き止められる水の分だけ、開口部３４の方へ押しやられる。従って、堰き止め部材３０を通過する水の水位は、堰き止め部材のない場所の水の水位よりも高くなる。
【００３６】
堰き止め部材３０に形成された開口部３４は、豊水期に水路１０を水が流れるとき、堰き止め部材３０を通過する水が、水路１０が溢れる前の水位（基準水位Ｈｓ）で堰き止め部材３０を通過するように、大きさを定められている。例えば、堰き止め部材３０を通過する水が、水路１０が溢れる前の水位（基準水位Ｈｓ）で堰き止め部材３０を通過するように、堰き止め部材３０の左右端部分３１、３２の水平方向の幅が適切な幅に定められてもよい。例えば、堰き止め部材３０を通過する水が、水路１０が溢れる前の水位（基準水位Ｈｓ）を保って堰き止め部材３０を通過するように、堰き止め部材３０の中央部分３３の高さが適切な高さに定められてもよい。ここで、基準水位Ｈｓは、例えば、水路１０が溢れる場合の水位をＨｆとしたときの、８０％Ｈｆ≦Ｈｓ＜１００％Ｈｆ、好ましくは、９５％Ｈｆであり得る。
【００３７】
堰き止め部材３０は、堰き止め部材３０を通過した水が水車２０を回転させるように、水車２０の上流側に設置される。好ましくは、堰き止め部材３０は、基準水位Ｈｓで堰き止め部材３０を通過した水が水車２０の好適位置に当たることにより水車２０を回転させるように、水車２０の上流側に設置される。これにより、水車２０を効率的に回転させ、水の流れのエネルギーを回転エネルギーに効率的に変換することができる。
【００３８】
渇水期になると、水路１０を流れる水の量が減少する。これに伴い、水路１０を流れる水の水位が下がり、堰き止め部材３０を通過する水の水位も下がる。上述したように、堰き止め部材３０は、堰き止め部材３０を通過した水が水車２０を回転させるように、水車２０の上流側に設置されているため、堰き止め部材３０を通過する水の水位が下がると、堰き止め部材３０を通過した水がもたらす水車２０の回転にも変化が生じる。特に、基準水位Ｈｓで堰き止め部材３０を通過した水が水車２０の好適位置に当たることにより水車２０を回転させるように、堰き止め部材３０が水車２０の上流側に設置されている場合には、堰き止め部材３０を通過する水の水位が下がると、堰き止め部材３０を通過した水が好適位置で水車２０に当たらなくなり、水のエネルギーの変換効率が低下してしまう。
【００３９】
本発明の発明者は、水車システム１００の代替構成として、渇水期に水路１０を流れる水の量が減少した場合であっても、堰き止め部材３０を通過した水による水車２０の回転に影響を及ぼさず、水のエネルギーの変換効率を低下させない水車システム２００を発明した。
【００４０】
２．水車を効率的に回転させるための水車システムの代替構成
図２Ａは、水車システム１００の代替構成である水車システム２００の構成を概略的に示し、図２Ｂは、堰き止め部材３０の上流位置での水路１０の断面図であり、図２Ｃは、図２ＢのＡ−Ａ’線から得られたＡ−Ａ’端面図である。図２Ａ〜図２Ｃでは、図１に示される要素と同一の要素に同じ参照番号を付し、ここでは説明を省略する。
【００４１】
水車システム２００は、水路１０に設置される。水車システム２００は、水路１０に設置された水車２０と、水車１０の上流側に設置された堰き止め部材３０と、渇水期用堰き止め部材４０、５０とを備える。
【００４２】
渇水期用堰き止め部材４０、５０は、堰き止め部材３０の中央部分３３の上方に設置者によって設置される。渇水期用堰き止め部材４０、５０は、水路１０を流れる水の少なくとも一部を堰き止めるように構成されている。渇水期用堰き止め部材４０、５０は、例えば、図２Ａに示されるような板状の部材であり得る。
【００４３】
渇水期用堰き止め部材４０は、例えば、渇水期用堰き止め部材４０に取り付けられたＬ型金具（図示せず）を介して、堰き止め部材３０に固定された鉄骨柱（図２Ｃには図示せず）にボルト等によって固定される。渇水期用堰き止め部材５０は、渇水期用堰き止め部材５０に取り付けられたＬ型金具（図示せず）を介して、渇水期用堰き止め部材４０に取り付けられたＬ型金具（図示せず）にボルト等によって固定される。渇水期用堰き止め部材４０、５０に取り付けられたＬ型金具は、渇水期用堰き止め部材４０、５０の補強材としても役に立つ。
【００４４】
堰き止め部材３０と渇水期用堰き止め部材４０との接合部、渇水期用堰き止め部材４０と渇水期用堰き止め部材５０との接合部は、図２Ｂおよび図２Ｃに示されるように、重なり合うことにより封止される。代替として、または、これに加えて、堰き止め部材３０と渇水期用堰き止め部材４０との接合部、渇水期用堰き止め部材４０と渇水期用堰き止め部材５０との接合部は、例えばゴム等の封止材料によって封止される。これにより、堰き止め部材３０と渇水期用堰き止め部材４０との間、および、渇水期用堰き止め部材４０と渇水期用堰き止め部材５０との間から水が漏れることを防止する。
【００４５】
渇水期用堰き止め部材４０、５０は、水路１０を流れる水が堰き止められる部分の面積を、堰き止め部材３０単独の場合よりも大きくし、より多くの量の水を堰き止めることを可能にする。堰き止め部材３０を通過しようとする水は、堰き止め部材３０および渇水期用堰き止め部材４０、５０によって堰き止められる水の分だけ、開口部３４の方へ押しやられる。従って、堰き止め部材３０を通過する水の水位は、堰き止め部材のない場所の水の水位よりも高くなる。
【００４６】
渇水期用堰き止め部材４０、５０は、堰き止め部材３０を通過する水が基準水位Ｈｓで堰き止め部材３０を通過するように、設置される。設置者は、水路１０を流れる水の量に基づいて、設置すべき渇水期用堰き止め部材４０、５０の大きさまたは個数を決定する。例えば、水路１０を流れる水の量が豊水期よりもわずかに減少した場合、設置者は、堰き止め部材３０単独の場合よりもわずかに多くの量の水を堰き止めることができるように、渇水期用堰き止め部材４０を１枚設置する。例えば、水路１０を流れる水の量が豊水期よりも大幅に減少した場合、設置者は、堰き止め部材３０単独の場合よりも大幅に多くの量の水を堰き止めることができるように、より大きな渇水期用堰き止め部材４０を設置するかまたは、複数の渇水期用堰き止め部材４０、５０を設置する。
【００４７】
水路１０を流れる水の量に応じた大きさまたは個数の渇水期用堰き止め部材を設置することで、渇水期に水路１０を流れる水の量が減少した場合であっても、堰き止め部材３０を通過する水の水位は基準水位Ｈｓにほぼ一定に保たれる。これにより、渇水期に水路１０を流れる水の量が減少した場合であっても、水車２０の回転に影響を及ぼさず、水のエネルギーの変換効率の低下を回避することができる。なお、本明細書では、「ほぼ一定」は、±１０％の範囲を含む。
【００４８】
図２Ａ〜図２Ｃに示される水車システム２００では、設置者が適切な渇水期用堰き止め部材４０、５０を設置することによって、渇水期に水路１０を流れる水の量が減少した場合であっても、堰き止め部材３０を通過する水の水位が基準水位Ｈｓにほぼ一定に保たれることを説明したが、設置者の代わりに、装置が渇水期用堰き止め部材を適切に移動させることによって、渇水期に水路１０を流れる水の量が減少した場合であっても、堰き止め部材３０を通過する水の水位が基準水位Ｈｓにほぼ一定に保たれるようにする代替構成も本発明の範囲内である。
【００４９】
図３Ａは、水車システム１００、２００の代替構成である水車システム３００を概略的に示し、図３Ｂは、堰き止め部材３０の上流位置での水路１０の断面図であり、図３Ｃは、図３ＢのＡ−Ａ’線から得られたＡ−Ａ’端面図である。図３Ａ〜図３Ｃでは、図１、図２に示される要素と同一の要素に同じ参照番号を付し、ここでは説明を省略する。
【００５０】
水車システム３００は、水路１０に設置される。水車システム３００は、水路１０に設置された水車２０と、水車１０の上流側に設置された堰き止め部材３０と、スライド部材６０と、水路１０を流れる水の量を検出することが可能な検出手段７０と、スライド部材６０をスライドさせる量を調整する調整手段８０とを備える。
【００５１】
スライド部材６０は、堰き止め部材３０の中央部分３３の上部に上下方向にスライド可能に取り付けられている。スライド部材６０によるスライドは、段階的であってもよいし、無段階的であってもよい。スライド部材６０は、水路１０を流れる水の少なくとも一部を堰き止めるように構成されている。スライド部材６０は、例えば、図３Ａに示されるような板状の部材であり得る。
【００５２】
スライド部材６０は、第１のスライド部材６１と、第２のスライド部材６２とを備え、第１のスライド部材６１は、堰き止め部材３０に上下方向にスライド可能に取り付けられ、第２のスライド部材６２は、第１のスライド部材６１に上下方向にスライド可能に取り付けられている。なお、図３に示される例では、スライド部材６０が２枚のスライド部材６１、６２を備えるように描写されるが、スライド部材６０の数はこれに限定されない。スライド部材６０の数は、１以上の任意の数であり得る。
【００５３】
スライド部材６０は、堰き止め部材３０に対して上方向にスライドすることにより、水路１０を流れる水が堰き止められる部分の面積を、堰き止め部材３０単独の場合よりも大きくし、より多くの量の水を堰き止めることを可能にする。堰き止め部材３０を通過しようとする水は、堰き止め部材３０およびスライド部材６０よって堰き止められる水の分だけ、開口部３４の方へ押しやられる。従って、堰き止め部材３０を通過する水の水位は、堰き止め部材のない場所の水の水位よりも高くなる。
【００５４】
水車システム３００は、堰き止め部材３０を通過する水が基準水位Ｈｓで堰き止め部材３０を通過するように、水路１０を流れる水を堰き止める面積を調整することができる。水車システム３００は、検出手段７０によって検出された水路１０を流れる水の量に基づいて、調整手段８０を用いて、水路１０を流れる水を堰き止める面積を調整する。例えば、検出手段７０によって検出された水の量が豊水期の水の量よりも減少したことを検出したとき、調整手段８０は、スライド部材６０を上方向にスライドさせて、水路１０を流れる水を堰き止める面積を増加させることにより、より多くの量の水を堰き止めることができるようにする。例えば、水路１０を流れる水の量が渇水期よりも増加したことを検出したとき、調整手段８０は、スライド部材６０を下方向にスライドさせて、水路１０を流れる水を堰き止める面積を減少させることにより、より少ない量の水を堰き止めるように、あるいは、水をもはや堰き止めないようにする。これにより、水の水位が、水路１０が溢れる場合の水位Ｈｆを越えることを防ぐことができる。
【００５５】
本発明のシステム３００において、検出手段７０による水路１０を流れる水の量の検出、および、調整手段８０によるスライド部材６０をスライドさせる量の調整が行われるタイミングは問わない。検出手段７０による検出および調整手段８０による調整は、任意のタイミングで行われ得る。例えば、検出手段７０が常に水路１０を流れる水の量の検出し、調整手段８０が常にスライド部材６０をスライドさせる量を調整するようにしてもよい。例えば、周期的（例えば、１分おき、１０分おき、１時間おき、１２時間おき、２４時間おき、１週間おき等）に検出手段７０による検出および調整手段８０による調整を行ってもよい。
【００５６】
水路１０を流れる水の量に応じてスライド部材６０を上下方向にスライドさせて、水路１０を流れる水を堰き止める面積を調整することで、渇水期に水路１０を流れる水の量が減少した場合であっても、あるいは、豊水期に水路を流れる水の量が増加した場合であっても、堰き止め部材３０を通過する水の水位はほぼ一定に基準水位Ｈｓに保たれる。これにより、渇水期に水路１０を流れる水の量が減少した場合であっても、あるいは、豊水期に水路を流れる水の量が増加した場合であっても、水車２０の回転に影響を及ぼさず、水のエネルギーの変換効率の低下を自動的に回避することができる。
【００５７】
図４は、本発明の水車システム３００の詳細な構成の一例を示す。
【００５８】
上述したとおり、本発明の水車システム３００は、水路に設置された水車２０と、水車２０の上流側に設置された堰き止め部材３０と、少なくとも１つのスライド部材６０と、検出手段７０と、調整手段８０とを備える。
【００５９】
検出手段７０は、水路１０を流れる水の量を検出することが可能な任意の手段である。検出手段７０は、検出した水の量を表す信号を出力することが可能である。検出手段７０による出力は、調整手段８０に供給される。検出手段７０は、例えば、水位計である。水位計は、水路１０を流れる水の量の指標として、水路１０を流れる水の水位を検出する。
【００６０】
検出手段７０は、検出手段７０によって検出された水路１０を流れる水の量に基づいて調整手段８０が水路１０を流れる水を堰き止める面積を調整することが可能である限り、水路１０の任意の位置に配置されることができる。検出手段７０は、好ましくは、堰き止め部材３０の近傍に配置される。検出手段７０は、例えば、堰き止め部材３０上に配置されるようにしてもよい。
【００６１】
調整手段８０は、水路１０を流れる水を堰き止める面積を調整することが可能な任意の手段である。例えば、調整手段８０は、スライド部材６０をスライドさせる量を調整することが可能な手段である。調整手段８０は、例えば、受信部８１と、メモリ部８２と、プロセッサ部８３と、駆動部８４とを備える。
【００６２】
受信部８１は、検出した水の量を表す信号を検出手段７０から受信する。受信部８１は、検出手段７０からの信号を有線で受信してもよいし、無線で受信してもよい。
【００６３】
メモリ部８２には、調整手段８０による処理の実行に必要とされるプログラムやそのプログラムの実行に必要とされるデータ等が格納されている。メモリ部８２には、例えば、水路１０の特定の水の量に対応する最適な水の堰き止め面積を記憶したルックアップテーブルが格納されるようにしてもよい。最適な水の堰き止め面積は、例えば、スライド部材６０の最適なスライド量であってもよい。メモリ部８２は、任意の記憶手段によって実装され得る。
【００６４】
プロセッサ部８３は、調整手段８０全体の動作を制御する。プロセッサ部８３は、メモリ部８２に格納されているプログラムを読み出し、そのプログラムを実行し、調整手段８０を所望のステップを実行する装置として機能させることも可能である。
【００６５】
駆動部８４は、スライド部材６０が段階的または無段階的にスライドするようにスライド部材６０を駆動する。駆動部８４は、任意の手段でスライド部材６０を駆動することができる。駆動部８４は、例えばモータの回転力等で機械的にスライド部材６０を駆動するようにしてもよい。駆動部８４は、例えば、電力、磁力、気圧、液圧等でスライド部材６０を駆動するようにしてもよい。
【００６６】
３．水車システム３００における処理
図５は、本発明の水車システム３００における、水路１０を流れる水の量に依存せずに水車を効率的に回転させるための処理の手順の一例を示す。
【００６７】
ステップＳ５０１では、検出手段７０が、水路１０を流れる水の量を検出する。検出手段７０は、検出された水の量を表す信号を調整手段８０に出力する。調整手段８０の受信部８１は、検出手段７０から信号を受信する。
【００６８】
ステップＳ５０２では、調整手段８０のプロセッサ部８３が、検出された水の量に基づいて、水路１０を流れる水の少なくとも一部を堰き止める面積を決定する。例えば、プロセッサ部８３は、メモリ部８２に格納されたルックアップテーブルを参照することによって、検出された水の量に対応するスライド部材６０の最適なスライド量を決定し、これにより、水路１０を流れる水の少なくとも一部を堰き止める面積を決定してもよい。
【００６９】
ステップＳ５０３では、ステップＳ５０２で決定された水路１０を流れる水の少なくとも一部を堰き止める面積となるように、調整手段８０が、水路１０を流れる水の少なくとも一部を堰き止める面積を調整する。これは、例えば、ステップＳ５０２で決定された水路１０を流れる水の少なくとも一部を堰き止める面積となるように、調整手段８０の駆動部８４が、スライド部材６０のスライド量を調整することによって、達成される。
【００７０】
ステップＳ５０１〜ステップＳ５０３により、堰き止め部材３０を通過する水の水位はほぼ一定に基準水位Ｈｓに保たれ、水路１０を流れる水の量に依存せずに水車を効率的に回転させることができる。
【００７１】
図６は、検出手段７０が堰き止め部材３０を通過する水の水位を検出することが可能である場合の、本発明の水車システム３００における、水路１０を流れる水の量に依存せずに水車を効率的に回転させるための処理の手順の一例を示す。検出手段７０が堰き止め部材３０を通過する水の水位を検出することが可能である場合、水車システム３００は、水路１０を流れる水の少なくとも一部を堰き止める面積をフィードバック制御することが可能である。
【００７２】
ステップＳ６０１では、検出手段７０が、水路１０を流れる水の量として、堰き止め部材３０を通過する水の水位を検出する。検出手段７０は、検出された堰き止め部材３０を通過する水の水位を表す信号を調整手段８０に出力する。調整手段８０の受信部８１は、検出手段７０から信号を受信する。
【００７３】
ステップＳ６０２では、調整手段８０のプロセッサ部８３が、検出された堰き止め部材３０を通過する水の水位が、基準水位Ｈｓよりも大きいか否かを判定する。堰き止め部材３０を通過する水の水位が基準水位Ｈｓよりも大きいと判定された場合は、ステップＳ６０３に進む。堰き止め部材３０を通過する水の水位が基準水位Ｈｓ以下であると判定された場合は、ステップＳ６０４に進む。
【００７４】
ステップＳ６０３では、基準水位Ｈｓよりも大きいと判定された堰き止め部材３０を通過する水の水位を下げるために、調整手段８０が、水路１０を流れる水の少なくとも一部を堰き止める面積が小さくなるように、水路１０を流れる水の少なくとも一部を堰き止める面積を調整する。これは、例えば、調整手段８０の駆動部８４が、スライド部材６０を所定の量だけ下方向にスライドさせることによって、達成される。ステップＳ６０３の後、手順は、ステップＳ６０１に戻り、再び堰き止め部材３０を通過する水の水位が検出される。
【００７５】
ステップＳ６０４では、調整手段８０のプロセッサ部８３が、検出された堰き止め部材３０を通過する水の水位が、基準水位Ｈｓよりも小さいか否かを判定する。堰き止め部材３０を通過する水の水位が基準水位Ｈｓよりも小さいと判定された場合は、ステップＳ６０５に進む。堰き止め部材３０を通過する水の水位が基準水位Ｈｓであると判定された場合は、水路１０を流れる水の少なくとも一部を堰き止める面積を調整する必要はないため、手順は終了する。
【００７６】
ステップＳ６０５では、基準水位Ｈｓよりも小さいと判定された堰き止め部材３０を通過する水の水位を上げるために、調整手段８０が、水路１０を流れる水の少なくとも一部を堰き止める面積が大きくなるように、水路１０を流れる水の少なくとも一部を堰き止める面積を調整する。これは、例えば、調整手段８０の駆動部８４が、スライド部材６０を所定の量だけ上方向にスライドさせることによって、達成される。ステップＳ６０５の後、手順は、ステップＳ６０１に戻り、再び堰き止め部材３０を通過する水の水位が検出される。
【００７７】
ステップＳ６０１〜ステップＳ６０５のフィードバック制御により、堰き止め部材３０を通過する水の水位はほぼ一定に基準水位Ｈｓに保たれ、水路１０を流れる水の量に依存せずに水車を効率的に回転させることができる。
【００７８】
４．水車を効率的に回転させるための水車システムのさらなる代替構成
上述した例では、スライド部材６０をスライドさせることにより、水路１０を流れる水が堰き止められる部分の面積を調整する例を説明したが、本発明はこれに限定されない。本発明では、水路１０を流れる水が堰き止められる部分の面積を調整することができる限り、スライド部材６０の代わりに、任意の手段を用いることができる。
【００７９】
上述した例では、水路１０を流れる水の量に依存せずに堰き止め部材３０を通過した水が水車２０の好適位置に当たるように、水路１０を流れる水が堰き止め部材３０の位置で堰き止められる部分の面積を調整する例を説明した。これに代えて、水路１０を流れる水の量に依存せずに堰き止め部材３０を通過した水が水車２０の好適位置に当たるように、水車２０の位置を調整することも本発明の範囲内である。例えば、水路１０に段差または傾斜が存在することにより、水路１０の深さが流れ方向に一様ではなく、水車２０が設置される位置での水路１０の深さが堰き止め部材３０が設置される位置での水路１０の深さよりも大きい場合、水車２０の垂直方向位置を調整することができる。例えば、水路１０を流れる水の量が増加すると、堰き止め部材３０を通過する水の水位が上昇するため、水位の上昇に合わせて水車２０の位置も上昇させることにより、堰き止め部材３０を通過した水が水車２０の好適位置に当たるようにすることができる。例えば、水路１０を流れる水の量が減少すると、堰き止め部材３０を通過する水の水位が下降するため、水位の下降に合わせて水車２０の位置も下降させることにより、堰き止め部材３０を通過した水が水車２０の好適位置に当たるようにすることができる。
【００８０】
上述した水車システムにおいて、水車の下流側に後部堰き止め部材を設置することも本発明の範囲内である。後部堰き止め部材は、後部堰き止め部材の下流側から逆流しようとする水の少なくとも一部を堰き止めるように構成されている部材である。水車の下流側に後部堰き止め部材を設置することにより、水車をさらに効率的に回転させることができるようになる。
【００８１】
図７は、上述した水車システム１００において、水車２０の下流側に後部堰き止め部材９０を設置した場合の、横断方向中心線から得られた端面図である。図７では、図１に示される要素と同一の要素に同じ参照番号を付し、ここでは説明を省略する。なお、図７では、水車システム１００において水車２０の下流側に後部堰き止め部材９０を設置することが説明されるが、上述した水車システム２００、３００でも同様の後部堰き止め部材９０を水車２０の下流側に設置することができる。
【００８２】
後部堰き止め部材９０は、後部堰き止め部材９０の下流側から逆流しようとする水の少なくとも一部を堰き止めるように構成されている。図７に示される例では、後部堰き止め部材９０は、後部堰き止め部材９０の下流側（図７の右側）の水の少なくとも一部が水車２０まで逆流し水車２０の下流側の水位が水車２０まで及ぶことを妨げるように、後部堰き止め部材９０の下流側の水の少なくとも一部を堰き止める。
【００８３】
水路１０の水は、絶えず流れている場合であっても、いくらか水位を有している。これは、水車２０の下流側でも同様である。水車２０の下流側で水車２０が水に浸かるほどの水位の場合には、水路１０の水が流れていたとしても、水路１０の水が抵抗となり得、水車２０の回転を阻害してしまう場合があるが、水車２０の下流側に後部堰き止め部材９０を設置することにより、後部堰き止め部材９０の下流側の水の少なくとも一部が水車２０まで逆流し水車２０の下流側の水位が水車２０まで及ぶことを妨げ、水車が水に浸かってしまうことを防止することができる。これにより、水車をさらに効率的に回転させることができる。
【００８４】
後部堰き止め部材９０は、例えば、図７に示されるように、その上流側にスロープ状の面を有する。スロープ状の面は、その断面が任意の形状（例えば、直線状、曲線状、階段状等）であり得るが、好ましくは、曲線状であり得る。スロープ状の面は、断面形状が３次元的に変化する形状（例えば、曲面状）であってもよい。曲線状の断面形状は、例えば、円弧形状、楕円弧形状、放物線形状等であり得る。スロープ状の面は、断面形状が円弧形状であることが好ましく、図７に示されるような水車に沿った円弧形状であることがさらに好ましい。
【００８５】
後部堰き止め部材９０の高さは、後部堰き止め部材９０の下流側の水位以上であることが好ましい。後部堰き止め部材９０の下流側の水が一切水車２０まで逆流しなくなるからである。しかしながら、高すぎる後部堰き止め部材９０は、水車２０が、水路１０を流れる水を下流側に押し出すことを妨げてしまうため、好ましくない。後部堰き止め部材９０の好ましい高さは、例えば、後部堰き止め部材９０の下流側の水位をＨＤとすると、１００％ＨＤ〜１２０％ＨＤの範囲内であり得、例えば、１１０％ＨＤであり得る。なお、後部堰き止め部材９０の高さが後部堰き止め部材９０の下流側の水位よりも低い場合（例えば、９０％ＨＤ、８０％ＨＤ、７０％ＨＤ、６０％ＨＤ等）であっても、多少の水が堰き止められるため、後部堰き止め部材９０がない場合と比べて、水車２０が水に浸かる程度を軽減することが可能である。
【００８６】
後部堰き止め部材９０は、例えば、単一の部材で構成されてもよいし、図７に示されるように、複数の部材で構成されてもよい。図７に示される例では、後部堰き止め部材９０が、４つの部材９１、９２、９３、９４で構成される例が示されているが、後部堰き止め部材９０を構成する部材の数は、これに限定されない。後部堰き止め部材９０は、任意の数の部材によって構成され得る。
【００８７】
後部堰き止め部材９０が複数の部材で構成される場合には、設置される部材の数を調整することにより、後部堰き止め部材９０の高さを調整することが可能である。例えば、渇水期に水路１０を流れる水の量が減少する場合には、水位の低下に合わせて、設置される部材の数を減らすことにより、後部堰き止め部材９０の高さを低くする。これにより、後部堰き止め部材９０の好ましい高さを達成する。例えば、豊水期に水路１０を流れる水の量が増加する場合には、水位の上昇に合わせて、設置される部材の数を増やすことにより、後部堰き止め部材９０の高さを高くする。これにより、後部堰き止め部材９０の好ましい高さを達成する。後部堰き止め部材９０を構成する複数の部材の各々を低く構成するほど、後部堰き止め部材９０の高さを細かく調整することが可能になる。一実施形態では、後部堰き止め部材９０を構成する複数の部材の各々は、例えば、２００ｍｍの高さを有する箱型部材であり得る。別の実施形態では、後部堰き止め部材９０を構成する複数の部材の各々は、例えば、１００ｍｍの高さを有する箱型部材であり得る。別の実施形態では、後部堰き止め部材９０を構成する複数の部材の各々は、例えば、それぞれ異なる高さを有する部材であり得る。
【００８８】
後部堰き止め部材９０は、水路１０の両壁間にわたって延在するよう設置されてもよいし、水路１０の両壁間の一部に延在するように設置されてもよい。水路１０の両壁間の一部に延在するように設置される場合は、側面部材を設置することが好ましい。側面部材は、堰き止め部材３０と、後部堰き止め部材９０との間で、水車２０の側方に設置される。側面部材は、例えば、板状の部材であり得る。
【００８９】
このとき、水車２０は、堰き止め部材３０と、側面部材と、後部堰き止め部材９０とによって包囲されることになる。側面部材が水車２０の両側に設置される場合には、水車２０は、水車２０の上流側の堰き止め部材３０と、水車２０の両側の側面部材と、水車２０の下流側の後部堰き止め部材９０とによって画定される箱によって包囲され得る。側面部材が水車２０の片側に設置される場合には、水車２０は、水車２０の上流側の堰き止め部材３０と、水車２０の片側の側面部材と、側面部材とは反対側の水路壁と、水車２０の下流側の後部堰き止め部材９０とによって画定される箱によって包囲され得る。水車２０を包囲することにより、水車２０の側方および下流側から水が水車の位置に進入することを防止することがで、水車が水に浸かってしまうことを確実に防止することができる。これにより、水車をさらに効率的に回転させることができる。また、後部堰き止め部材９０が水路１０の両壁間の一部（例えば、両側の側面部材間、または、水路壁と片側の側面部材との間）のみに延在するように、後部堰き止め部材９０の幅を短くすることができるため、本発明の水車システム全体をよりコンパクトにすることができる。
【００９０】
図８に示されるような落差工を有する水路１０’では、落差工下に水が溜まってしまうため、水車の下流側の水が水車の回転を阻害することが起こりやすい。落差工は、水路において水が流れ落ちるよう段になっている場所であり、流れ落ちる水の勢いで水路を破壊しないように、落差工下の水深ＤＡは、下流の場所の水深ＤＢに比べて深くなっている。ここで、破線Ｗは、仮想の水位を示している。落差工に水車を設置すると、水車の上流側の水位をより高くすることができ、より容易に高い位置から水車に水を当てることができる一方で、深くなった落差工下に水が溜まってしまう。このときも、図７を参照して上述した例と同様に、水車の下流側に後部堰き止め部材を設置することにより、後部堰き止め部材９０の下流側の水が水車まで逆流することを妨げ、水車が水に浸かってしまうことを防止することができる。これにより、水車をさらに効率的に回転させることができる。
【００９１】
図９は、落差工を有する水路１０’の落差工に水車２０を設置し、水車２０の下流側に後部堰き止め部材９０を設置した場合の、横断方向中心線から得られた端面図である。水車２０の上流側には、上述した水車システム１００、２００、３００と同様の堰き止め部材３０およびスロープ３８が設置されている。
【００９２】
後部堰き止め部材９０は、後部堰き止め部材９０の下流側から逆流しようとする水の少なくとも一部を堰き止めるように構成されている。図９に示される例では、後部堰き止め部材９０は、後部堰き止め部材９０の下流側（図９の右側）の水の少なくとも一部が水車２０まで逆流することを妨げるように、後部堰き止め部材９０の下流側の水の少なくとも一部を堰き止める。
【００９３】
後部堰き止め部材９０は、例えば、図９に示されるように、その上流側にスロープ状の面を有する。スロープ状の面は、その断面が任意の形状（例えば、直線状、曲線状、階段状等）であり得るが、好ましくは、曲線状であり得る。スロープ状の面は、断面形状が３次元的に変化する形状（例えば、曲面状）であってもよい。曲線状の断面形状は、例えば、円弧形状、楕円弧形状、放物線形状等であり得る。スロープ状の面は、断面形状が円弧形状であることが好ましく、図７に示されるような水車に沿った円弧形状であることがさらに好ましい。
【００９４】
後部堰き止め部材９０の高さは、後部堰き止め部材９０の下流側の水位以上であることが好ましい。後部堰き止め部材９０の下流側の水が一切水車まで逆流しなくなり、水車２０の位置に水が溜まらなくなるからである。しかしながら、高すぎる後部堰き止め部材９０は、水車２０が、水路１０’を流れる水を水車２０下流側に押し出すことを妨げてしまうため、好ましくない。後部堰き止め部材９０の好ましい高さは、例えば、水車２０の下流側の水位をＨＤとすると、１００％ＨＤ〜１２０％ＨＤの範囲内であり得、例えば、１１０％ＨＤであり得る。なお、後部堰き止め部材９０の高さが水車２０の下流側の水位よりも低い場合（例えば、９０％ＨＤ、８０％ＨＤ、７０％ＨＤ、６０％ＨＤ等）であっても、多少の水が堰き止められるため、後部堰き止め部材９０がない場合と比べて、水車２０の位置に水が溜まる程度を軽減し、水車２０水に浸かる程度を軽減することが可能である。
【００９５】
後部堰き止め部材９０は、例えば、単一の部材で構成されてもよいし、図９に示されるように、複数の部材で構成されてもよい。図９に示される例では、後部堰き止め部材９０が、４つの部材９１、９２、９３、９４で構成される例が示されているが、後部堰き止め部材９０を構成する部材の数は、これに限定されない。後部堰き止め部材９０は、任意の数の部材によって構成され得る。
【００９６】
後部堰き止め部材９０が複数の部材で構成される場合には、設置される部材の数を調整することにより、後部堰き止め部材９０の高さを調整することが可能である。例えば、渇水期に水路１０’を流れる水の量が減少する場合には、水位の低下に合わせて、設置される部材の数を減らすことにより、後部堰き止め部材９０の高さを低くする。これにより、後部堰き止め部材９０の好ましい高さを達成する。例えば、豊水期に水路１０’を流れる水の量が増加する場合には、水位の上昇に合わせて、設置される部材の数を増やすことにより、後部堰き止め部材９０の高さを高くする。これにより、後部堰き止め部材９０の好ましい高さを達成する。後部堰き止め部材９０を構成する複数の部材の各々を低く構成するほど、後部堰き止め部材９０の高さを細かく調整することが可能になる。一実施形態では、後部堰き止め部材９０を構成する複数の部材の各々は、例えば、２００ｍｍの高さを有する箱型部材であり得る。別の実施形態では、後部堰き止め部材９０を構成する複数の部材の各々は、例えば、１００ｍｍの高さを有する箱型部材であり得る。別の実施形態では、後部堰き止め部材９０を構成する複数の部材の各々は、例えば、それぞれ異なる高さを有する部材であり得る。
【００９７】
後部堰き止め部材９０は、水路１０’の両壁間にわたって延在するよう設置されてもよいし、水路１０’の両壁間の一部に延在するように設置されてもよい。水路１０’の両壁間の一部に延在するように設置される場合は、上述した側面部材を、堰き止め部材３０と、後部堰き止め部材９０との間で、水車２０の側方に設置することが好ましい。
【００９８】
なお、上述した例では、堰き止め部材３０を備える水車システム１００、２００、３００が後部堰き止め部材９０を備え得ることを説明したが、堰き止め部材３０を備えない水車システムにおいて、後部堰き止め部材９０を備えることもまた、本発明の範囲内である。
【００９９】
従来の水車を設置する際には、効率的に水車を回転させるための落差を有する水路を新設したり、既存の水路に落差を付けるための工事をしたりする必要がある。これに対し、本発明の水車システムは、例えば水車設置を目的としていない既存の水路であっても、水路に負担をかけることなく設置することができる。本発明の水車システムでは、水車の上流側に堰き止め部材を設置するだけで、効率的に水車を回転させることが可能であり、効率的に水車を回転させるための落差を付けるよう水路自体を工事する必要がないからである。また、水路の外側に基礎を設置し、基礎に支持された水車を水路に沈めることにより水車を設置するようにすることでも、水路自体の工事が不要となる。本発明の水車システムは、水路自体の工事が不要であり、かつ、水路の水を止めることなく設置することができるため、設置のための負担およびコストを低減することができる。
【０１００】
このような本発明の水車システムは、例えば、発電および売電のビジネスに用いることができる。
【０１０１】
水車システムの水車に発電機を接続し、水車の回転エネルギーで発電機を作動させることにより、電力を発生させることができる。発生した電力は、消費者に販売される。販売の態様は問わない。例えば、発生した電力は、水車システムに接続された送電網を通じて、変電所に送電され、適切な電圧に変圧された後に消費者に配電されてもよい。例えば、発生した電力は、水車システムに接続された配電網を通じて直接消費者に配電されてもよい。例えば、発生した電力は、水車システムに接続された蓄電システムに蓄積され、蓄積された電力が消費者に配送されてもよい。
【０１０２】
代替として、発生した電力は、例えば、消費者に販売されずに、水車システムが設置されている現場で消費されるようにしてもよい。
【０１０３】
本発明は、上述した実施形態に限定されるものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【産業上の利用可能性】
【０１０４】
本発明は、水路を流れる水の量に依存せずに水車を効率的に回転させるための水車システムを提供するものとして有用である。
【符号の説明】
【０１０５】
１０、１０’  水路
２０  水車
３０  堰き止め部材
４０、５０  渇水期用堰き止め部材
６０  スライド部材
７０  検出手段
８０  調整手段
９０  後部堰き止め部材
１００、２００、３００  水車システム
【図１Ａ】
2018194002.tif 000003
【図１Ｂ】
2018194002.tif 000004
【図１Ｃ】
2018194002.tif 000005
【図２Ａ】
2018194002.tif 000006
【図２Ｂ】
2018194002.tif 000007
【図２Ｃ】
2018194002.tif 000008
【図３Ａ】
2018194002.tif 000009
【図３Ｂ】
2018194002.tif 000010
【図３Ｃ】
2018194002.tif 000011
【図４】
2018194002.tif 000012
【図５】
2018194002.tif 000013
【図６】
2018194002.tif 000014
【図７】
2018194002.tif 000015
【図８】
2018194002.tif 000016
【図９】
2018194002.tif 000017